(57)【要約】【課題】断熱箱体を貫通する集水路の内箱の穴部分より断熱材側に水が浸入し、断熱材内で氷が成長して排水経路を塞ぐ不具合の発生を抑制する冷蔵庫を提供することを目的とする。【解決手段】冷凍室の背面に設けられ、少なくとも底面が内箱２で構成され、冷気を生成する冷却器９を有する冷却器室３０と、冷却器９の下方に設けられ、冷却器９の霜取時に発生するドレン水を受け、上面が開口し底面が中央部の円筒部１ａ（排水口）に向かって下り傾斜をつけた漏斗状の集水受け１と、冷却器室３０の底面を構成し、集水受け１を載置する内箱２の部位に設けられ、集水受け１の円筒部１ａが挿入される穴２ａ（開口部）と、集水受け１を載置する内箱２の穴２ａの左右側部に設けられ、左右側部の面が穴２ａ付近より低くなり、且つ左右側部の面が前方に下り傾斜をつけた凹部２ｄ、凹部２ｅとを備えたことを特徴とする。【選択図】図２
2008064397.tif 000002
【特許請求の範囲】
【請求項１】
貯蔵室の背面に設けられ、少なくとも底面が内箱で構成され、冷気を生成する冷却器を有する冷却器室と、
前記冷却器の下方に設けられ、該冷却器の霜取時に発生するドレン水を受け、上面が開口し底面が中央部の排水口に向かって下り傾斜をつけた漏斗状の集水受けと、
前記冷却器室の底面を構成し、前記集水受けを載置する前記内箱の部位に設けられ、前記集水受けの排水口が挿入される開口部と、
前記集水受けを載置する前記内箱の前記開口部の左右側部に設けられ、左右側部の面が前記開口部付近より低くなり、且つ左右側部の面が前方に下り傾斜をつけた凹部とを備えたことを特徴とする冷蔵庫。
【請求項２】
前記冷却器室の背面が前記内箱で構成され、前記集水受けの背面に対向する前記内箱の部位に、左右方向に延在し、前記開口部の上方付近が最も高く、左右に向かって下り傾斜の、前記ドレン水を案内するドレン水案内部を設けたことを特徴とする請求項１記載の冷蔵庫。
【請求項３】
前記凹部において、前記内箱と前記集水受けとの間に、断熱材にウレタンを使用するときのウレタン発泡時の前記内箱の変形補強用のリブを設けたことを特徴とする請求項１又は請求項２記載の冷蔵庫。
【発明の詳細な説明】
【技術分野】
【０００１】
この発明は、冷蔵庫に関するもので、冷却器に付着する霜を溶かしたドレン水を蒸発皿に導くドレン穴周辺において、集水受けと内箱との間のシールが不十分な場合でも、ドレン水が断熱材側に回り込むのを、シール材を使用することなく防止する技術に関する。
【背景技術】
【０００２】
従来の冷蔵庫は、冷却器室は冷蔵庫本体の下部背面付近に配置される。冷却器室には、冷気を生成する冷却器と、その冷気を庫内に循環させる送風機を有する。冷却器には霜が付着するため、定期的に霜取を行うが、冷却器の下方にヒータを配置して、冷却器に付着した霜を溶かし冷却器下方の断熱箱体を貫通する集水路から蒸発皿に導き、高温・高圧の冷媒の熱により蒸発させる。
【０００３】
断熱箱体を貫通する集水路については、内箱に設けた集水路の下面に、断熱材及び外箱の底面外部側を貫通し、内部に空気が循環できる空間を有した筒状体を設け、この筒状体の下面が圧縮機の上方に開口するものが提案されている（例えば、特許文献１参照）。
【特許文献１】特開昭６１−２１３５７７号公報
【発明の開示】
【発明が解決しようとする課題】
【０００４】
従来の冷蔵庫の冷却器からの除霜水を受ける集水受けは、冷蔵庫の内箱に密着して取り付けられている。そのため組み立て不具合等により、集水受けと内箱の間のシールが不十分な場合、隙間に水分が入り込む経路ができて、さらには断熱材側に回り込む可能性もあり、その場合水の回り込んだ断熱材部で霜の成長が始まり、最終的には霜取りヒータ等にて溶かすことも出来ないほど大きな氷となることにより排水経路をふさぐ不具合にいたる。集水路と内箱との密着を確保するためにシール材等を追加するとコストが大きくなり、またシール材の貼り付け等の組立作業に頼るため、シールが不十分な場合もある。
【０００５】
この発明は、上記のような課題を解決するためになされたもので、断熱箱体を貫通する集水路の内箱の穴部分より断熱材側に水が浸入し、断熱材内で氷が成長して排水経路を塞ぐ不具合の発生を抑制する冷蔵庫を提供することを目的とする。
【課題を解決するための手段】
【０００６】
この発明に係る冷蔵庫は、貯蔵室の背面に設けられ、少なくとも底面が内箱で構成され、冷気を生成する冷却器を有する冷却器室と、冷却器の下方に設けられ、冷却器の霜取時に発生するドレン水を受け、上面が開口し底面が中央部の排水口に向かって下り傾斜をつけた漏斗状の集水受けと、冷却器室の底面を構成し、集水受けを載置する内箱の部位に設けられ、集水受けの排水口が挿入される開口部と、集水受けを載置する内箱の開口部の左右側部に設けられ、左右側部の面が開口部付近より低くなり、且つ左右側部の面が前方に下り傾斜をつけた凹部とを備えたことを特徴とする。
【発明の効果】
【０００７】
この発明に係る冷蔵庫は、上記構成により、内箱と集水受けの間にドレン水が回りこんだ場合に、内箱の開口部より断熱材側にドレン水が回り込むことが無くなる効果を奏する。
【発明を実施するための最良の形態】
【０００８】
実施の形態１．
図１乃至図３は実施の形態１を示す図で、図１は冷却器９下方の除霜水を受ける集水受け１付近の要部分解斜視図、図２は冷却器９の下方のドレン水処理部の正面図、図３は図２のＢ−Ｂ断面図である。
【０００９】
図示はしないが、この実施の形態１の冷蔵庫は、最下段が冷凍室になっていて、冷凍室の背面に冷却器と送風機とを有する冷却器室が設けられる。冷却器室は、内箱と外箱との間に断熱材を充填した断熱箱体の内箱の背面下部と、冷凍室と冷却器室とを仕切る壁部品との間の空間に位置する。但し、冷却器室が冷蔵庫の下部以外の、例えば、冷蔵庫の中央部に形成されるものにも、本実施の形態は適用可能である。
【００１０】
冷却器には、庫内を循環する冷気に含まれる水分が結露し、これが氷結して霜が付着するので、定期的にヒータを用いて冷却器に付着した霜を溶かして除霜する。従って、除霜時には、ドレン水が発生する。
【００１１】
ドレン水は、冷却器下に位置し、内箱に密接する集水受けで集水して、断熱箱体を貫通する穴から冷蔵庫の底部に流し、蒸発皿にて蒸発させる。
【００１２】
上記のように、冷却器下に位置する断熱箱体に穴を開けるので、この穴の入口において集水受けと内箱との間に侵入したドレン水が断熱材へ入る恐れがある。断熱材へドレン水が流れ氷結すると、これが成長して穴を塞ぐという事態になる可能性もある。そのため、従来は、断熱箱体の穴の手前で集水受けと内箱との間をシールして、穴にはドレン水が流れないようにしていた。
【００１３】
本実施の形態は、断熱箱体の穴の手前での集水受けと内箱との間のシールを不要とするために、断熱箱体の穴の左右の内箱に、断熱箱体の穴の位置より低くなる、前面側に傾斜した凹部を設け、凹部で受けるため漏れたドレン水が断熱箱体の穴には流れず、内箱の凹部から、冷凍室底面に通常設けられる汁受けに流れ、この汁受けで漏れたドレン水を昇華するようにしたものである。
【００１４】
冷却器室３０（図２、３参照）は、内箱２が背面と底面とを構成し、前面を壁部品１６、上面を図示しない仕切り部品（例えば、野菜室と冷凍室との仕切り）が構成する。
【００１５】
図１に示すように、冷却器室３０に設けられる冷却器９の下方に、冷却器９に付着する霜を溶かすヒータ１１が配置される。ヒータ１１の上方には、ヒータ１１がドレンで濡れるのを防止するヒータルーフ１０が設けられる。ヒータ１１の下方には、パイプ部７ａを有するアルミ板７を介して集水受け１が設けられる。集水受け１を内箱２で成形するのは困難であり、内箱２とは別部品で集水受け１を用意する。集水受け１は、通常樹脂製である。
【００１６】
集水受け１は、上面が開口し、底面が左右端部夫々から中央の円筒部１ａ（排水口になる）に向かって下方に傾斜している容器である。左右端部には内箱２の係合穴２ｂに係合するツメ１ｂ、内箱２の係合穴２ｃに係合するツメ１ｃを備える。
【００１７】
集水受け１の上方には、パイプ部７ａを有するアルミ板７が配置される。アルミ板７は、集水受け１がヒータ１１の熱を直接受けないようにするために設ける。
【００１８】
内箱２の、集水受け１に対向する面（冷却器室３０を構成する内箱２の背面から直角に屈曲する底面部分）は、集水受け１の中央の円筒部１ａに対向する部位に穴２ａ（開口部とも呼ぶ）が開口している。この穴２ａを入口として、この部分で断熱箱体には、垂直方向の穴が貫通する（図２参照）。
【００１９】
穴２ａの付近は、他の部分より高くなっていて、穴２ａの左右は穴２ａより低い凹部２ｄ、凹部２ｅになっている。しかも、図３に示すように、凹部２ｄ、凹部２ｅは奥から前方に向かって下方に傾斜している。これは、漏れたドレン水を冷凍室に落とし、冷凍室の底面（内箱２の一部）に形成されている汁受け１８に流すためである。
【００２０】
冷凍室の底面の上には、冷凍室ケース１７が引き出し式の冷凍室扉１９（図３参照）に載置されて、出入りする。
【００２１】
内箱２の穴２ａを入口とする断熱箱体を貫通する垂直方向の穴には、連結パイプ３が嵌合し、連結パイプ３は連結部５により、外箱の底面板４に連結される。
【００２２】
図１の状態から組み立てると、図２に示すようなドレン水処理部が完成する。冷却器室３０の冷却器９の下方にヒータルーフ１０を有するヒータ１１が配置され、その直下にアルミ板７で底面を覆われた樹脂製の集水受け１が設けられる。冷却器室３０の底面を構成する内箱２に、集水受け１の円筒部１ａが挿入される穴２ａが開けられ、この内箱２の穴２ａを入口とする貫通穴が断熱箱体を垂直に貫通する。
【００２３】
冷却器室３０の底面を構成する内箱２の部分は、中央の穴２ａ付近が他の部分より高く、穴２ａ付近の左右は穴２ａ付近より低い凹部２ｄ、凹部２ｅになっている。さらに、この凹部２ｄ、凹部２ｅは、奥から前方に向かって下方に傾斜している。
【００２４】
内箱２の穴２ａを入口とする断熱箱体を垂直に貫通する貫通穴には、連結パイプ３が挿入され、連結パイプ３は連結部５により外箱の底面板４に連結される。
【００２５】
連結パイプ３の下方には、ドレン水を受ける蒸発皿６が配置される。蒸発皿６は、圧縮機１２の上に設けられて加熱され、蒸発皿６に流れ込んだドレン水は蒸発する。
【００２６】
集水受け１の上部開口縁部と内箱２との間は密着しているが、隙間ができる。その隙間にドレン水が浸入することは避けられない。本実施の形態１によれば、図３に示すように、集水受け１と内箱２との間に侵入したドレン水２０は、凹部２ｄ、凹部２ｅに落下する。凹部２ｄ、凹部２ｅは、前方に向かって下方に傾斜しているので、内箱２の表面に沿って流れる。そして、図３に示すように、冷凍室扉１９に載置された冷凍室ケース１７（載置される点は図示しない）が収納される冷凍室４０の底面を構成する内箱２に設けられた汁受け１８に達する。ドレン水２０は汁受け１８で凍結し、その後、凍結したドレン水２０はこの汁受け１８で昇華する。
【００２７】
このように、集水受け１と内箱２との間に侵入したドレン水２０は、内箱２の穴２ａには流れないので、断熱材５０に進入する恐れは非常に少ない。従って、断熱材内部で霜の成長が始まり、最終的には霜取りヒータ等にて溶かすことも出来ないほど大きな氷となることにより排水経路をふさぐ不具合にいたることはない。
【００２８】
実施の形態２．
図４、図５は実施の形態２を示す図で、図４は冷却器９の下方のドレン水処理部の正面図、図５は図４のＣ−Ｃ断面図である。
【００２９】
実施の形態１では、集水受け１に接する内箱２の部分を、ドレン水が集中する中央を高く、左右を低くして、集水受け１と内箱２との間に侵入したドレン水２０が内箱２の穴２ａに流れないようにした。しかし、集水受け１の正面から見て中央部付近においては、集水受け１に接する内箱２の部分は穴２ａとほぼ同じ高さであり、ここでは、集水受け１と内箱２との間に侵入したドレン水２０が内箱２の穴２ａに流れる可能性がある。そこで、本実施の形態２では、集水受け１の長手方向の辺に対応する内箱２（冷却器室３０の背面下部を構成する部分）に、左右方向に延在し、穴２ａの上方が最も高く、左右に向かって下方に傾斜する案内（ビード）を設けたものである。
【００３０】
図４に示すように、内箱２に形成されるビード１３以外は、実施の形態１と同じである。
【００３１】
図５に示すように、ビード１３（ドレン水案内部の一例）は、集水受け１側に突出し、その高さは、内箱２と集水受け１との間を密閉する高さとする。
【００３２】
図４において、正面から見て中央付近（内箱２の穴２ａ付近）の、集水受け１と内箱２との間に、左右下方に傾斜するビード１３が存在するため、正面から見て中央付近の集水受け１と内箱２との間にドレン水が浸入しても、ビード１３に案内されて凹部２ｄ、凹部２ｅに流れるので、内箱２の穴２ａ、断熱材５０に回り込むことがない。
【００３３】
実施の形態３．
図６、図７は実施の形態３を示す図で、図６は冷却器９の下方のドレン水処理部の正面図、図７は図６のＤ−Ｄ断面図である。
【００３４】
図６、図７に示すように、集水受け１底部と、内箱２の凹部２ｄ、凹部２ｅとの間に補強用のリブ２１を設けている。
【００３５】
断熱材５０にウレタン材等を使用する場合、集水受け１と内箱２の間に凹部２ｄ、凹部２ｅ等の空間があるとウレタン発泡時に内箱２が変形をきたすという課題が出てくる。
【００３６】
ウレタン発泡時の内箱２の変形を抑えるために、内箱２と集水受け１との間を極力密着させ、内箱２と集水受け１の間に、リブ２１を立てることによりウレタン発泡時の内箱２の変形を抑えることができる。
【００３７】
また、実施の形態２と同様に、集水受け１の背面の内箱２にビード１３を内箱２の凹部２ｄ、凹部２ｅにかかるように設けているので、集水受け１のどの範囲から水が浸入してきても、内箱２の凹部２ｄ、凹部２ｅにドレン水を案内することができ、内箱２の穴２ａにドレン水が浸入しないようにすることができる。
【図面の簡単な説明】
【００３８】
【図１】実施の形態１を示す図で、冷却器９下方の除霜水を受ける集水受け１付近の要部分解斜視図である。
【図２】実施の形態１を示す図で、冷却器９の下方のドレン水処理部の正面図である。
【図３】実施の形態１を示す図で、図２のＢ−Ｂ断面図である。
【図４】実施の形態２を示す図で、冷却器９の下方のドレン水処理部の正面図である。
【図５】実施の形態２を示す図で、図４のＣ−Ｃ断面図である。
【図６】実施の形態３を示す図で、冷却器９の下方のドレン水処理部の正面図である。
【図７】実施の形態３を示す図で、図６のＤ−Ｄ断面図である。
【符号の説明】
【００３９】
１  集水受け、１ａ  円筒部、１ｂ  ツメ、１ｃ  ツメ、２  内箱、２ａ  穴、２ｂ  係合穴、２ｃ  係合穴、２ｄ  凹部、２ｅ  凹部、３  連結パイプ、４  底面板、５  連結部、６  蒸発皿、７  アルミ板、７ａ  パイプ部、９  冷却器、１０  ヒータルーフ、１１  ヒータ、１２  圧縮機、１３  ビード、１６  壁部品、１７  冷凍室ケース、１８  汁受け、１９  冷凍室扉、２０  ドレン水、２１  リブ、３０  冷却器室、４０  冷凍室、５０  断熱材。
【図１】
2008064397.tif 000003
【図２】
2008064397.tif 000004
【図３】
2008064397.tif 000005
【図４】
2008064397.tif 000006
【図５】
2008064397.tif 000007
【図６】
2008064397.tif 000008
【図７】
2008064397.tif 000009